(57)【特許請求の範囲】
【請求項１】
表示制御手段から画像表示用の信号を入力して画像を表示する表示装置を備えた遊技機の表示検査装置であって、
該遊技機の動作中における該表示装置の表示画像を撮像し、画像信号を出力する撮像装置と、
該撮像装置が該表示装置の表示画像を撮像した際、該撮像装置から出力された撮像画像のＲＧＢ信号と該表示制御手段から出力された画像表示用のＲＧＢ信号とを対比して、該表示装置の表示色に基づいて表示機能の良否を判定する良否判定手段と、
該良否判定手段が判定した該表示装置の表示機能の良否の判定結果を表示し記憶する検査結果表示記憶手段と、
を備えたことを特徴とする遊技機の表示検査装置。
【請求項２】
前記検査結果表示記憶手段は、前記良否判定手段によって不良と判定された表示画像のみを記憶することを特徴とする請求項１記載の遊技機の表示検査装置。
【請求項３】
図柄制御基板から画像表示用の信号を入力して図柄の変動画像を表示する図柄表示装置を備えた遊技機における、該図柄表示装置の表示機能を検査する図柄表示検査装置であって、
該遊技機の動作中における該図柄表示装置の表示画像を撮像し、画像信号を出力する撮像装置と、
該撮像装置が該図柄表示装置の表示画像を撮像した際、該撮像装置から出力された撮像画像の各画素のＲＧＢ信号と該図柄制御基板から出力された画像表示用の各画素のＲＧＢ信号とを対比して、該図柄表示装置の表示機能の良否を判定する良否判定手段と、
該良否判定手段が判定した該図柄表示装置の表示機能の良否の判定結果を表示し記憶する検査結果表示記憶手段と、
を備えたことを特徴とする遊技機の図柄表示検査装置。
【請求項４】
前記検査結果表示記憶手段は、前記良否判定手段によって不良と判定された表示画像のみを記憶することを特徴とする請求項３記載の遊技機の図柄表示検査装置。
【請求項５】
表示制御手段から画像表示用の信号を入力して画像を表示する表示装置を備えた遊技機の表示検査方法であって、
該遊技機の動作中における該表示装置の表示画像を撮像装置が撮像し、画像信号を出力するステップと、
該撮像装置が該表示装置の表示画像を撮像した際、該撮像装置から出力された撮像画像のＲＧＢ信号と該表示制御手段から出力された画像表示用のＲＧＢ信号とを対比して、該表示装置の表示色に基づいて表示機能の良否を判定するステップと、
判定された該表示装置の表示機能の良否の判定結果を表示し記憶するステップと、
を含むことを特徴とする遊技機の表示検査方法。
【請求項６】
判定結果を表示し記憶するステップにおいて、不良と判定された表示画像のみを記憶することを特徴とする請求項５記載の遊技機の表示検査方法。
【請求項７】
図柄制御基板から画像表示用の信号を入力して図柄の変動画像を表示する図柄表示装置を備えた遊技機における、該図柄表示装置の表示機能を検査する図柄表示検査方法であって、
遊技機の動作中における該図柄表示装置の表示画像を撮像装置により撮像し、画像信号を出力するステップと、
該撮像装置が該図柄表示装置の表示画像を撮像した際、該撮像装置から出力された撮像画像の各画素のＲＧＢ信号と該図柄制御基板から出力された画像表示用の各画素のＲＧＢ信号とを対比して、該図柄表示装置の表示機能の良否を判定するステップと、
判定した図柄表示装置の表示機能の良否の判定結果を表示し記憶するステップと、
を含むことを特徴とする遊技機の図柄表示検査方法。
【請求項８】
判定結果を表示し記憶するステップにおいて、不良と判定された表示画像のみを記憶することを特徴とする請求項７記載の遊技機の図柄表示検査方法。
【発明の詳細な説明】
【技術分野】
【０００１】
本発明は、パチンコ遊技機の図柄表示装置などの表示機能を検査する遊技機の表示検査装置及び表示検査方法に関する。
【背景技術】
【０００２】
近年、パチンコ遊技機においては、変動図柄を表示する図柄表示装置が設けられた機種が広く普及しており、多くの図柄表示装置付きのパチンコ遊技機が製造されている。この種のパチンコ遊技機の主制御基板及び図柄表示装置を制御する図柄制御基板には、予め演出用プログラムデータ及び演出表示用の画像データ（動画データ）などがＲＯＭに記憶され、主制御基板から送られる演出用プログラムデータに基づき出力されるコマンドデータに応じて、画像用ＲＯＭから読み出した画像データによって、図柄表示装置に変動図柄を表示するように、表示が制御される。
【０００３】
周知のように、パチンコ遊技機では、遊技球が始動入賞口に入賞したとき、主制御基板において大当り抽選が行われ、その抽選結果に応じて大当り或はハズレが決定され、図柄表示装置には複数の図柄の変動表示が開始される。そして、複数の図柄が予め決められた大当り図柄に揃って確定停止したとき、遊技者に有利な大当り状態が発生し、それ以外はハズレとなる。
【０００４】
このために、この種のパチンコ遊技機においては、図柄表示装置の画面表示がパチンコ遊技の進行上非常に重要なファクタとなり、図柄表示装置の表示機能に不具合が生じている場合には、遊技機の製造時の検査において確実に発見して修理する必要がある。
【特許文献１】特開平７−３３４１１４号公報
【発明の開示】
【発明が解決しようとする課題】
【０００５】
このため、従来のパチンコ遊技機の製造時の検査においては、パチンコ遊技機を動作させながら、作動中の図柄表示装置を監視し、図柄表示装置の表示画像が適正に表示されるか否かを、作業者が目視により検査していた。しかし、このような作業者による図柄表示装置の目視検査は、多くの作業工数がかかり、作業者の負担が過大になると共に、検査の信頼性も低くなりやすいという課題があった。
【０００６】
ところで、液晶表示装置を検査する検査装置として、従来、命令信号に対応する表示データが液晶駆動装置から出力されたか否かを、検査機器により判定して、ＣＧＲＡＭなどを含む液晶駆動装置を検査する装置が、上記特許文献１により提案されているが、このような検査装置では、遊技機の図柄表示装置が実際に表示する表示機能を正確に検査することは不可能であった。
【０００７】
本発明は、上述の課題を解決するものであり、遊技機の表示装置の検査を自動的に且つ高い信頼性をもって効率よく行なうことができる遊技機の表示検査装置及び表示検査方法並びに図柄表示検査装置及び図柄表示検査方法を提供することを目的とする。
【課題を解決するための手段】
【０００８】
上記課題を解決するために、本発明の請求項１の遊技機の表示検査装置は、表示制御手段から画像表示用の信号を入力して画像を表示する表示装置を備えた遊技機の表示検査装置であって、該遊技機の動作中における該表示装置の表示画像を撮像し、画像信号を出力する撮像装置と、該撮像装置が該表示装置の表示画像を撮像した際、該撮像装置から出力された撮像画像のＲＧＢ信号と該表示制御手段から出力された画像表示用のＲＧＢ信号とを対比して、該表示装置の表示色に基づいて表示機能の良否を判定する良否判定手段と、該良否判定手段が判定した該表示装置の表示機能の良否の判定結果を表示し記憶する検査結果表示記憶手段と、を備えたことを特徴とする。
この場合、請求項２に記載したように、前記検査結果表示記憶手段は、不良と判定された表示画像のみを記憶することが望ましい。
【０００９】
また、請求項３の遊技機の図柄表示検査装置は、図柄制御基板から画像表示用の信号を入力して図柄の変動画像を表示する図柄表示装置を備えた遊技機における、該図柄表示装置の表示機能を検査する図柄表示検査装置であって、該遊技機の動作中における該図柄表示装置の表示画像を撮像し、画像信号を出力する撮像装置と、該撮像装置が該図柄表示装置の表示画像を撮像した際、該撮像装置から出力された撮像画像の各画素のＲＧＢ信号と該図柄制御基板から出力された画像表示用の各画素のＲＧＢ信号とを対比して、該図柄表示装置の表示機能の良否を判定する良否判定手段と、該良否判定手段が判定した該図柄表示装置の表示機能の良否の判定結果を表示し記憶する検査結果表示記憶手段と、を備えたことを特徴とする。
この場合、請求項４に記載したように、前記検査結果表示記憶手段は、不良と判定された表示画像のみを記憶することが望ましい。
【００１１】
また、本発明の請求項５の遊技機の表示検査方法は、表示制御手段から画像表示用の信号を入力して画像を表示する表示装置を備えた遊技機の表示検査方法であって、該遊技機の動作中における該表示装置の表示画像を撮像装置が撮像し、画像信号を出力するステップと、該撮像装置が該表示装置の表示画像を撮像した際、該撮像装置から出力された撮像画像のＲＧＢ信号と該表示制御手段から出力された画像表示用のＲＧＢ信号とを対比して、該表示装置の表示色に基づいて表示機能の良否を判定するステップと、判定された該表示装置の表示機能の良否の判定結果を表示し記憶するステップと、を含むことを特徴とする。
この場合、請求項６に記載したように、判定結果を表示し記憶するステップにおいて、不良と判定された表示画像のみを記憶することが望ましい。
【００１２】
また、本発明の請求項７の遊技機の図柄表示検査方法は、図柄制御基板から画像表示用の信号を入力して図柄の変動画像を表示する図柄表示装置を備えた遊技機における、該図柄表示装置の表示機能を検査する図柄表示検査方法であって、遊技機の動作中における該図柄表示装置の表示画像を撮像装置により撮像し、画像信号を出力するステップと、該撮像装置が該図柄表示装置の表示画像を撮像した際、該撮像装置から出力された撮像画像の各画素のＲＧＢ信号と該図柄制御基板から出力された画像表示用の各画素のＲＧＢ信号とを対比して、該図柄表示装置の表示機能の良否を判定するステップと、判定した図柄表示装置の表示機能の良否の判定結果を表示し記憶するステップと、を含むことを特徴とする。
この場合、請求項８に記載したように、判定結果を表示し記憶するステップにおいて、不良と判定された表示画像のみを記憶することが望ましい。
【発明の効果】
【００１４】
上記構成の表示検査装置及び表示検査方法によれば、撮像装置が表示装置の表示画像を撮像した際、検査装置は、撮像装置から出力された撮像画像の画像信号と表示制御手段から出力された画像表示用の信号とを対比して、表示装置の表示機能の良否を判定するから、表示装置の表示機能の良否検査を無人化して、自動的に実施することができる。したがって、従来のように、遊技機を動作させながら行なう、作業者による表示装置の目視検査は不要となり、作業者の負担が大きく軽減されると共に、表示装置の検査の信頼性を高めることができる。
【００１５】
また、上記構成の遊技機の図柄表示検査装置及び図柄表示検査方法によれば、撮像装置が図柄表示装置の表示画像を撮像した際、検査装置は、撮像装置から出力された撮像画像の画像信号と図柄制御基板から出力された画像表示用の信号とを対比して、図柄表示装置の表示機能の良否を判定するから、図柄表示装置の表示機能の良否検査を無人化して、自動的に実施することができる。したがって、従来のように、遊技機を動作させながら行なう、作業者による図柄表示装置の目視検査は不要となり、作業者の負担が大きく軽減されると共に、図柄表示装置の検査の信頼性を高めることができる。
【発明を実施するための最良の形態】
【００１６】
以下、本発明の一実施形態を図面に基づいて説明する。図１はパチンコ遊技機２０における図柄表示検査装置の概略構成図を示し、図２はその図柄表示検査装置の構成ブロック図を示し、図３は検査装置１の機能ブロック図を示している。
【００１７】
本図柄表示検査装置は、概略的には、被検査物であるパチンコ遊技機２０の図柄表示装置２３の表示画像を撮像するために撮像装置２を設置し、パチンコ遊技機の主制御基板２１から送られたコマンドに基づき、図柄制御基板２２から画像表示信号が出力され、図柄表示装置２３に図柄が表示された際、撮像装置２が撮像して撮像装置２から出力されたＲＧＢ信号（画像信号）と、図柄制御基板２２から出力された画像表示信号とを比較して、図柄表示装置２３の表示状態の良否を判定し、判定した良否の判定結果を、検査装置１の表示器１３ｃに表示し、記憶装置１４に記憶するように構成される。本実施形態では、主制御基板２１と図柄制御基板２２とから表示制御手段が構成される。
【００１８】
検査装置１は、例えば汎用のパーソナルコンピュータから構成され、そこには、後述するパチンコ遊技機２０の検査を実行するＣＰＵ等からなる中央処理装置１０、検査装置に必要な各種プログラムデータ、固定データを格納するＲＯＭ１１、処理装置のワークエリアを構成すると共に制御プログラムの実行によって生成されるデータを一時記憶するＲＡＭ１２、入出力回路を介して中央処理装置１０に接続されるキーボード等の入力機器１３ａ、中継ファームウエア３、撮像装置２等が接続されるＵＳＢ接続装置１３ｂ、表示コントローラに接続され画像を表示する表示器１３ｃ、及びハードディスク装置等からなる記憶装置１４であって、オペレーションシステム、検査用のアプリケーションプログラム、検査結果データなど各種データ等を記憶する記憶装置１４が設けられている。本実施形態では、表示器１３ｃと記憶装置１４とから検査表示記憶手段が構成される。
【００１９】
検査装置１のＵＳＢ接続装置１３ｂには、ＣＣＤカメラ、ＣＭＯＳ撮像素子などから構成される撮像装置２がＵＳＢケーブルを介して接続され、撮像装置２は、図１に示すように、検査するパチンコ遊技機２０のガラス（透明板）２４の前面、つまり図柄表示装置２３の正面位置に、吸盤４を介して装着される。
【００２０】
吸盤４には取付アーム５が取り付けられており、その取付アーム５の先端に撮像装置２が角度調整可能に取り付けられる。撮像装置２は、このような吸盤４により検査対象であるパチンコ遊技機２０に対し簡単に装着することができ、その撮像フレームの略全体で、図柄表示装置２３の表示画像を良好に撮影することができる。
【００２１】
パチンコ遊技機の遊技盤上の略中央に配置された図柄表示装置２３は、カラー液晶ディスプレイなどから構成され、主制御基板（メイン制御基板）２１から出力されるコマンドに基づき、図柄制御基板２２によりその画像表示を制御され、図柄の変動画像、各種演出画像などを表示する。
【００２２】
中継ファームウエア３が、図柄制御基板２２から図柄表示装置２３に出力されるＲＧＢ信号、複合同期信号、ＤＣＬＫ信号などを含む画像表示信号を、中継して図柄表示装置２３に送ると共に、その画像表示信号の一部を取り出して、検査装置１に送るように接続される。このため、検査装置１のＵＳＢ接続装置１３ｂには、中継ファームウエア３のデータ出力側がＵＳＢケーブルを介して接続されている。
【００２３】
画像表示信号の一部は中継ファームウエア３を介して検査装置１に入力されるが、図柄制御基板２２から出力されるＲＧＢ信号、複合同期信号、ＤＣＬＫ信号などを含む画像表示信号は、中継ファームウエア３を介して図柄表示装置２３に入力されるように接続される。つまり、中継ファームウエア３は、図柄制御基板２２から送られたＲＧＢ信号、複合同期信号、ＤＣＬＫ信号などを含む画像表示信号を、図柄表示装置２３に送ると共に検査装置１に送出する。
【００２４】
パチンコ遊技機２０の主制御基板２１は、ＲＯＭに予め記憶されたプログラムデータに基づき、パチンコゲームを実行するための各種処理を実行するＣＰＵ、ＣＰＵのワークエリアを構成するＲＡＭ、信号の入出力を行う入出力回路などを備え、始動入賞時には大当り抽選を実施し、その抽選結果に基づき、大当り又はハズレを決定して、それらの停止図柄を決定する。また、主制御基板２１は、図柄表示装置２３に図柄を変動したり停止させたり各種コマンドを図柄制御基板２２に対し出力する。また、主制御基板２１は、大当り発生時には、各ラウンドの入賞球数などに応じて、図示しない大入賞口を所定時間、開口制御するなどの制御処理を行う。
【００２５】
中継ファームウエア３は、上記のように、図柄制御基板２２から出力される、図柄を図柄表示装置２３に表示するためのＲＧＢ信号、複合同期信号、ＤＣＬＫ信号などを含む画像表示信号を取り込み、それらを一時的に記憶するバッファメモリを内蔵している。中継ファームウエア３は、検査装置１に画像表示信号をＵＳＢ用のシリアル信号として出力するように構成される。また、主制御基板２１から出力される図柄制御用のコマンドを図柄制御基板２２に送るために、主制御基板２１のコマンドの出力端子が図柄制御基板２２の入力側に接続されている。
【００２６】
図柄制御基板２２は、画像制御用ＣＰＵ、グラフィックコントローラ、図柄の変動表示画像を含む全ての画像データを格納する画像用ＲＯＭ、図柄表示を制御するための制御データを記憶する制御用ＲＯＭなどを備え、主制御基板２１から送られたコマンドに対応した画像データを読み出し、パチンコ遊技機２０の遊技盤に配設された図柄表示装置（例えばカラー液晶ディスプレイ）２３に、コマンドに基づく画像を表示するように制御する基板である。
【００２７】
なお、図柄制御基板２２に、ランプ制御信号の中継機能或は音声制御信号の中継機能がある場合、ランプ制御信号又は音声制御信号は図柄制御基板２２から図示しないランプ制御基板又は音声制御基板に送出される。
【００２８】
次に、上記構成の図柄表示検査装置の動作と共に検査方法を説明する。パチンコ遊技機２０の図柄表示装置の検査に際し、中継ファームウエア３のデータ入力側を図柄制御基板２２のデータ出力側に接続し、中継ファームウエア３のデータ出力側を図柄表示装置２３の信号入力側に接続する。さらに、撮像装置２と中継ファームウエア３の画像表示信号のＵＳＢ出力側を、ＵＳＢケーブルを介して検査装置１のＵＳＢ接続装置１３ｂに接続する。
【００２９】
そして、パチンコ遊技機２０、検査装置１を起動し、図４のフローチャートに示すように、パチンコ遊技機の図柄表示の検査を行う。
【００３０】
検査が開始されると、パチンコ遊技機２０は、遊技球を発射し、遊技盤上の始動入賞口に遊技球が入賞したとき、大当り抽選が実施され、図柄表示装置２３の表示画像上において、３列の演出図柄が変動表示を開始する。そして、それらの図柄の変動表示が所定時間行なわれた後、大当り抽選の結果に基づき、停止図柄のコマンドがパチンコ遊技機２０の主制御基板２１から図柄制御基板２２に出力され、図柄表示装置２３に３列の演出図柄が停止するように表示される。
【００３１】
このようなパチンコ遊技機の動作中に、検査装置１の中央処理装置１０は、予め設定されたタイミングで、検査信号を中継ファームウエア３に出力し、中継ファームウエア３を介して、図柄制御基板２２から出力される画像表示用の全ドットのＲＧＢ信号（色信号）を取り込む。これにより、検査装置１に１画像フレーム分のＲＧＢデータが取り込まれる。
【００３２】
次に、そのＲＧＢ信号を取り込んだ時点から予め設定された遅延時間経過後に、図４のフローチャートのステップ１００で、撮像装置２の画像信号のＲＧＢ信号、つまり図柄表示装置２３に表示される表示画像を撮像装置２が撮像した画像データの全ドットのＲＧＢ信号を、検査装置１が１画像フレーム分のＲＧＢデータとして取り込む。
【００３３】
このように、画像表示用のＲＧＢ信号を、中継ファームウエア３を介して入力した後、所定の遅延時間経過後に、撮像装置２から撮像された画像データのＲＧＢ信号を、検査装置１が取り込むことにより、画像表示用のＲＧＢ信号と正確に対応した撮像画像のＲＧＢ信号を検査装置１は入力することができる。
【００３４】
次に、検査装置１の中央処理装置１０は、撮像装置２によって撮像された図柄表示装置２３の１フレーム分の画像データを記憶装置１４の画像メモリ上で展開し、撮像画面内における所定の検査範囲、つまり図柄表示装置２３の表示器の表示範囲をその撮像画面内で抽出する（ステップ１１０）。これにより、例えば、撮像装置２が撮像した撮像画像の範囲が図柄表示装置２３の表示画面より大きく、外周部に非検査部分がある場合、その部分を除外して検査範囲を抽出することとなる。
【００３５】
次に、ステップ１２０で、図柄表示装置２３において表示される表示範囲のドット数と撮像装置２が撮像した撮像画像の範囲のドット数とを一致させる。例えば、図柄表示装置２３の表示画面の表示範囲が６４０×３２０ドットであって、撮像装置２のドット数が６４０×３２０ドット以上である場合、撮像画像の周縁部の画素データを削除し、画像メモリ上で展開した６４０×３２０ドットの範囲内で画素データを抽出する。
【００３６】
次に、検査装置１の中央処理装置１０は、ステップ１３０で、撮像画像における各ドットのＲＧＢ信号と表示画像における各ドットのＲＧＢ信号を比較し、両ドットのＲＧＢ信号の一致率を算出する。そして、ステップ１４０で、ＲＧＢ信号に含まれる両ドットのＲＧＢデータの一致・不一致を判定し、撮像画像のドットのＲＧＢ信号と画像表示用のＲＧＢ信号の一致率が予め設定した値より高い場合、ドットのＲＧＢ信号が一致したと判定し、一致率が設定値未満の場合、ドットのＲＧＢ信号が不一致であると判定する。両ドットのＲＧＢデータを比較する場合、例えば、ドットをカラー表示するＲＧＢ信号に含まれるＲＧＢデータ、すなわちＲ値、Ｇ値、Ｂ値の一致率が、予め設定された所定の比率（例えば６０％以上）であれば、一致と判定し、所定の比率（６０％）未満なら不一致とするように判定する。
【００３７】
ここで、ドットのＲＧＢ信号が一致した場合、ステップ１４０からステップ１５０に進み、全てのドットについて判定を行なって検査終了か否かを判定し、検査が終了していない場合、次に、ステップ１３０に戻り、再び、上記と同様に、次のドットについて、撮像画像のＲＧＢ信号と画像表示用のＲＧＢ信号を比較し、一致率を算出して、一致するか否かを判定する。
【００３８】
このように、上記ステップ１３０〜ステップ１５０が繰り返されることにより、図柄表示装置２３の画像を撮像した撮像画像の全ドットについて、ＲＧＢ信号の一致が比較・判定され、全てのドットについて撮像画像のＲＧＢ信号と画像表示用のＲＧＢ信号が一致しているとの検査結果が出た場合、ステップ１５０からステップ１６０に進み、検査装置１は「正常（良品）」の検査結果を表示器１３ｃに表示し、その結果を記憶装置１４に格納する。
【００３９】
一方、撮像画像の何れかのドットのＲＧＢ信号と表示画像のドットのＲＧＢ信号の一致率が、予め設定した例えば６０％未満となり、ドットのＲＧＢ信号が不一致である判定された場合、検査装置１の中央処理装置１０は、ステップ１４０からステップ１７０に進み、「異常（不良）」の検査結果を検査装置１の表示器１３ｃに表示し、その結果を記憶装置１４に格納する。ここでは、異常と判定された表示画像のみが記憶装置１４に記憶され、正常と判定された表示画像については保存されない。これにより、検査装置１の記憶領域を節約することができる。
【００４０】
このように、図柄表示装置２３の表示画像を撮像装置２で撮像し、その撮像信号の各ドットのＲＧＢ信号を検査することにより、図柄表示装置（例えば液晶ディスプレイ）２３のドット抜けや輝度ムラなどの不具合を、つまり図柄表示装置２３の表示機能の不具合を人の目視検査によらず、高い信頼性で、自動的に検査することができる。したがって、図柄表示装置の製造時における製品検査において、目視検査を行なっていた検査担当者の負担を大きく軽減し、検査の信頼性を向上させることができる。
【００４１】
なお、上記実施形態では、パチンコ遊技機２０において図柄の変動表示を行う図柄表示装置２３の表示機能の検査に本発明を適用したが、図柄表示装置２３以外の表示装置の検査に本発明を適用することもでき、さらに、パチンコ遊技機２０以外の遊技機（スロットマシン）であっても、表示装置を有する遊技機であれば、適用可能である。
【００４２】
また、上記実施形態では、撮像画像のＲＧＢ信号と画像表示用のＲＧＢ信号とを比較しているが、判定精度をさらに上げるために、ＲＧＢ信号に加えてＨＬＳ信号またはＨＳＢＬ信号などの信号と組み合わせてもよい。
【００４３】
本発明が請求する技術的思想は特許請求の範囲の各請求項に記載されたとおりであるが、本発明は、以下のような構成要素と作用効果を有した技術的思想をも含むものである。
（１）請求項１乃至３の何れかに記載の表示検査装置において、上記良否判定手段は、撮像画像のＲＧＢ信号と画像表示用のＲＧＢ信号とを比較して、表示装置の表示色に基づき良否判定を行なうことを特徴とする。この構成によれば、表示装置の表示機能の良否を、比較的簡単に且つ高速で判定することができる。
（２）請求項１乃至３の何れかに記載の表示検査装置において、上記良否判定手段は、撮像画像のＲＧＢデータと画像表示用のＲＧＢデータとの一致率が、予め設定された所定値を超えたか否かに基づき、図柄表示装置の表示機能を判定することを特徴とする。この構成によれば、停止図柄などの種類に応じてＲＧＢデータの一致率を設定することにより、判定精度を向上させることができる。
（３）請求項１乃至３の何れかに記載の表示検査装置において、上記検査結果記憶表示手段は、上記良否判定手段によって異常と判定された表示画像のみを記憶することを特徴とする。この構成によれば、必要な検査結果を最小限保存しながら、検査結果表示記憶手段の記憶領域を節約することができる。
（４）請求項２または３に記載の図柄表示検査装置において、図柄制御基板から図柄表示装置に出力される画像表示用の信号を良否判定手段に中継する中継器（中継ファームウエア）を設け、中継器には画像表示用の信号を一時的に記憶するメモリを備えたこと特徴とする。この構成によれば、汎用のパーソナルコンピュータを用いて上記良否判定手段を比較的簡単に実現することができことができる。
（５）さらに上記中継器は、図柄制御基板から入力した画像表示用の信号を、所定の遅延時間経過後に良否判定手段に出力することを特徴とする。この構成によれば、撮像装置に汎用のＣＣＤカメラなどを使用することができ、良否判定手段は、撮像画像信号の取込みと画像表示用の信号の取り込みのタイミングを合わせて、正確に表示画像の良否判定を行うことができる。
【図面の簡単な説明】
【００４４】
【図１】本発明の一実施形態を示すパチンコ遊技機の図柄表示検査装置の概略構成図である。
【図２】同図柄表示検査装置の構成ブロック図である。
【図３】図柄検査装置の機能ブロック図である。
【図４】検査装置の検査処理を示すフローチャートである。
【符号の説明】
【００４５】
１  検査装置
２  撮像装置
３  中継ファームウエア
１０  中央処理装置（良否判定手段）
１３ｃ  表示器（検査結果表示記憶手段）
１４  記憶装置（検査結果表示記憶手段）
２０  パチンコ遊技機
２１  主制御基板（表示制御手段）
２２  図柄制御基板（表示制御手段）
２３  図柄表示装置（表示装置）
【図１】
0004791886.tif 000002
【図２】
0004791886.tif 000003
【図３】
0004791886.tif 000004
【図４】
0004791886.tif 000005